【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
第１制御手段と、該第１制御手段と通信可能に接続された第２制御手段とを備えた遊技用装置を有する遊技用システムであって、
前記第１制御手段と前記第２制御手段とが互いの認証用情報を用いて相互認証処理を行なう相互認証処理手段を備え、
前記第１制御手段と前記第２制御手段との少なくとも一方は、製造段階で前記認証用情報を記憶しておらず、遊技場に搬入された後サーバと通信可能になった段階で該サーバから前記認証用情報を取得して記憶し、
前記相互認証処理手段は、前記第１制御手段と前記第２制御手段との少なくとも一方が前記認証用情報を記憶していないときには不適正な認証結果を導出し、
前記第１制御手段と前記第２制御手段とは、前記相互認証処理を実行することにより得られた結果が適正な場合は該相互認証処理後の各種処理を実行し、不適正な場合は前記認証用情報が記憶される前の段階で実行するために用意されている処理を実行する、遊技用システム。
【請求項２】
第１制御手段と、該第１制御手段と通信可能に接続された第２制御手段とを備え、対応する遊技機を動作させるための遊技用装置であって、
前記第１制御手段と前記第２制御手段とが互いの認証用情報を用いて相互認証処理を行なう相互認証処理手段を備え、
前記第１制御手段と前記第２制御手段との少なくとも一方は、製造段階で前記認証用情報を記憶しておらず、遊技場に搬入された後サーバと通信可能になった段階で該サーバから前記認証用情報を取得して記憶し、
前記相互認証処理手段は、前記第１制御手段と前記第２制御手段との少なくとも一方が前記認証用情報を記憶していないときには不適正な認証結果を導出し、
前記第１制御手段と前記第２制御手段とは、前記相互認証処理を実行することにより得られた結果が適正な場合は該相互認証処理後の各種処理を実行し、不適正な場合は前記認証用情報が記憶される前の段階で実行するために用意されている処理を実行する、遊技用装置。
【手続補正２】
【補正対象書類名】明細書
【補正対象項目名】発明の名称
【補正方法】変更
【補正の内容】
【発明の名称】遊技用システムおよび遊技用装置
【手続補正３】
【補正対象書類名】明細書
【補正対象項目名】０００１
【補正方法】変更
【補正の内容】
【０００１】
本発明は、第１制御手段と、該第１制御手段と通信可能に接続された第２制御手段とを備えた遊技用装置を有する遊技用システムおよび遊技用装置に関する。
【手続補正４】
【補正対象書類名】明細書
【補正対象項目名】０００７
【補正方法】変更
【補正の内容】
【０００７】
（１）  本発明は、第１制御手段と、該第１制御手段と通信可能に接続された第２制御手段とを備えた遊技用装置を有する遊技用システムであって、
前記第１制御手段と前記第２制御手段とが互いの認証用情報（基板初期鍵）を用いて相互認証処理を行なう相互認証処理手段（図１２３、図１２５の機器認証シーケンス）を備え、
前記第１制御手段と前記第２制御手段との少なくとも一方は、製造段階で前記認証用情報を記憶しておらず（ＣＵ制御部が基板初期鍵を記憶しておらず）、遊技場に搬入された後サーバと通信可能になった段階で該サーバから前記認証用情報を取得して記憶し（図１２３：ＣＵ制御部が上位装置よりダウンロードした基板初期鍵を記憶する）、
前記相互認証処理手段は、前記第１制御手段と前記第２制御手段との少なくとも一方が前記認証用情報を記憶していないときには不適正な認証結果を導出し（図１２５：基板初期鍵の取得なしの状態で機器認証をすれば認証結果がＮＧとなる）、
前記第１制御手段と前記第２制御手段とは、前記相互認証処理を実行することにより得られた結果が適正な場合は該相互認証処理後の各種処理を実行し（図１２３の機器認証シーケンスおよびその後の通信鍵交換シーケンス等を実行）、不適正な場合は前記認証用情報が記憶される前の段階で実行するために用意されている処理（図１２５：基板出荷鍵による通信テスト電文の通信）を実行する。
【手続補正５】
【補正対象書類名】明細書
【補正対象項目名】０００８
【補正方法】変更
【補正の内容】
【０００８】
上記構成によれば、遊技場に搬入された後、サーバと通信可能になった段階でサーバから認証用情報を取得してその認証用情報を用いて第１制御手段と第２制御手段とが相互認証処理を行ない、セキュリティが担保される。一方、前記第１制御手段と前記第２制御手
段とは、前記相互認証処理を実行することにより得られた結果が適正な場合は該相互認証
処理後の各種処理を実行し、不適正な場合は前記認証用情報が記憶される前の段階で実行
するために用意されている処理を実行する。つまり、認証用情報を取得した後にセキュリティの担保のために実行される相互認証処理を、認証用情報が記憶される前の段階で実行するために用意されている処理を実行するか否かの判別にも有効利用し、認証用情報が記憶される前の段階で実行するために用意されている処理を実行するか否かの判別を行なう特別の判別ステップを設けることによる制御の複雑化を防止することができる。
【手続補正６】
【補正対象書類名】明細書
【補正対象項目名】００１５
【補正方法】変更
【補正の内容】
【００１５】
（５）  本発明の他の態様は、第１制御手段と、該第１制御手段と通信可能に接続された第２制御手段とを備えた、対応する遊技機を動作させるための遊技用装置であって、
前記第１制御手段と前記第２制御手段とが互いの認証用情報を用いて相互認証処理を行なう相互認証処理手段（図１２３、図１２５の機器認証シーケンス）を備え、
前記第１制御手段と前記第２制御手段との少なくとも一方は、製造段階で前記認証用情報を記憶しておらず（ＣＵ制御部が基板初期鍵を記憶しておらず）、遊技場に搬入された後サーバと通信可能になった段階で該サーバから前記認証用情報を取得して記憶し（図１２３：ＣＵ制御部が上位装置よりダウンロードした基板初期鍵を記憶する）、
前記相互認証処理手段は、前記第１制御手段と前記第２制御手段との少なくとも一方が前記認証用情報を記憶していないときには不適正な認証結果を導出し（図１２５：基板初期鍵の取得なしの状態で機器認証をすれば認証結果がＮＧとなる）、
前記第１制御手段と前記第２制御手段とは、前記相互認証処理を実行することにより得られた結果が適正な場合は該相互認証処理後の各種処理を実行し（図１２３の機器認証シーケンスおよびその後の通信鍵交換シーケンス等を実行）、不適正な場合は前記認証用情報が記憶される前の段階で実行するために用意されている処理（図１２５：基板出荷鍵による通信テスト電文の通信）を実行する。
【手続補正７】
【補正対象書類名】明細書
【補正対象項目名】００１６
【補正方法】変更
【補正の内容】
【００１６】
上記構成によれば、遊技場に搬入された後、サーバと通信可能になった段階でサーバから認証用情報を取得してその認証用情報を用いて第１制御手段と第２制御手段とが相互認証処理を行ない、セキュリティが担保される。一方、前記第１制御手段と前記第２制御手
段とは、前記相互認証処理を実行することにより得られた結果が適正な場合は該相互認証
処理後の各種処理を実行し、不適正な場合は前記認証用情報が記憶される前の段階で実行
するために用意されている処理を実行する。つまり、認証用情報を取得した後にセキュリティの担保のために実行される相互認証処理を、認証用情報が記憶される前の段階で実行するために用意されている処理を実行するか否かの判別にも有効利用し、認証用情報が記憶される前の段階で実行するために用意されている処理を実行するか否かの判別を行なう特別の判別ステップを設けることによる制御の複雑化を防止することができる。